(57)【要約】      （修正有）【課題】モータの振動を、複数枚の緩衝体で吸収し、ガードへの伝播を無くし、ガードと支持片の緊締の弛緩を回避する。殊に、支持片と、ガード、及び取付板の緊締維持に役立ち、ガードのガタツキと落下を防止する。【解決手段】送風機のガード５と、モータ６を固定する連結機構は、モータを収容するモータケース６ａに複数突設した支持片と、支持片にガードの中心位置の線材５ｂ、及び／又は、取付板を、止め具により、緊締し、かつ緊締時に、支持片と線材、及び／又は、取付板との間に緩衝体を設けて、防振効果を発揮する。【選択図】図５
2020012443.tif 000002
【特許請求の範囲】
【請求項１】
送風機に備えたガードと、モータを固定するための連結機構であって、
この連結機構は、前記モータを収容するモータケースの外周面に複数突設した支持片と、この支持片に前記ガードの中心位置の線材、及び／又は、取付板を、止め具により、緊締し、かつこの緊締時に、前記支持片と線材、及び／又は、取付板との間に緩衝体を設けることを特徴とした送風機のガードと、モータを固定する連結機構。
【請求項２】
前記止め具は、ボルトとナットであり、このボルトとナットで、前記支持片、線材、及び／又は、取付板と、前記緩衝体を緊締支持する構成とした請求項１に記載の送風機のガードと、モータを固定する連結機構。
【請求項３】
前記取付板と前記緩衝体の間に、平座金を介在する構成とした請求項１に記載の送風機のガードと、モータを固定する連結機構。
【請求項４】
前記緩衝体を、防振ゴムとする構成とした請求項１に記載の送風機のガードと、モータを固定する連結機構。
【請求項５】
前記ガードは、ガード骨線材と、ガード線材で構成し、前記止め具で、前記ガード骨線材を緊締する構成とした請求項１に記載の送風機のガードと、モータを固定する連結機構。
【請求項６】
前記支持片に横設した前記ボルトと前記ナットで、前記送風機の吸込み側より、二枚の第１・第２平座金と、この第１・第２平座金間に設けた第１・第２緩衝体と、前記ガードの取付板と、前記ガード骨線材と、前記支持片と、第３・第４平座金と、この第３・第４平座金間に設けた第３・第４緩衝体を、緊締支持する構成とした請求項２に記載の送風機のガードと、モータを固定する連結機構。
【発明の詳細な説明】
【技術分野】
【０００１】
本発明は、送風機の吸込み側に設けたガードと、モータを固定する連結機構に関する。
【背景技術】
【０００２】
従来、複数の部材と、防振ゴムを使用した緊締構造（緊締機構）に関する先行文献としては、次のような発明が提案されている。
【０００３】
文献１としては、特開２００４−２７８９９５号公報によるウェルナットを使用する構成であり、ウェルナット（円筒形状の緊締部材）と、防振ゴム、及び取付板を介してファンモータを、本体ケースに取付ける構成である。この発明は、ウェルナットと、防振ゴムを、止め具で緊締支持する構成である。
【０００４】
文献２としては、特開平６−７４４９１号公報による防振ゴムを使用する構成であり、筒状の防振ゴムと止め具を介して、モータベースにファンモータを緊締支持する構成である。この発明は、少ない（一枚の）防振ゴムと止め具で緊締支持する構成である。
【０００５】
この文献１のウェルナットと防振ゴムの組合せでは、緊締する部材の数、構造が限定されること、かつ汎用性に欠けること等が考えられる。
【０００６】
また、文献２の防振ゴムと止め具の組合せは、構造と使用等が容易である反面、防振効果が十分でないと考えられる。
【特許文献１】特開２００４−２７８９９５号公報
【特許文献２】特開平６−７４４９１号公報
【発明の概要】
【発明が解決しようとする課題】
【０００７】
文献１では、ウェルナットと防振ゴムの組合せによる複雑化や、コストの上昇が考えられる。また、文献２の防振ゴムと止め具の組合せでは、一枚の防振ゴムでは、防振性に限界が考えられる。
【０００８】
さらには、文献１、２の構成では、例えば、複数の構成部品を、ボルト及びナットと、複数枚の防振ゴムを介在して連結する構成には、採用し難いと考えられる。
【課題を解決するための手段】
【０００９】
上記に鑑み、本発明は、モータケースの外周面に複数ある支持片と、ファンガード、及び取付板といった複数の構成部品を、例えば、ボルト及びナットと、複数枚の緩衝体（防振ゴム）をそれぞれ介在して連結する構成とする。さらに部品の数とか形状（構造）に限定されず、汎用性に優れた送風機のガードと、モータを固定する連結機構の提供とを意図する。
【００１０】
その一例は、請求項１−６に示した構造である。
【発明の効果】
【００１１】
請求項１の発明は、送風機に備えたガード（ガードを備えない構造も採用できる）と、モータを固定するための連結機構であって、
連結機構は、モータを収容するモータケースの外周面に複数突設した支持片と、支持片にガードの中心位置の線材、及び／又は、取付板を、止め具により、緊締し、かつ緊締時に、支持片と線材、及び／又は、取付板との間に緩衝体を設け、防振効果を発揮することを特徴とした送風機のガードと、モータを固定する連結機構である。
【００１２】
これにより、請求項１は、モータの振動を、複数枚の緩衝体で吸収し、ガードへの伝播を無くし得る特徴、又はガードと支持片の緊締の弛緩回避に有効である。殊に、支持片と、ガード、及び取付板の緊締維持に役立ち、ガードのガタツキ防止と落下防止に有効性を発揮できる。
【００１３】
請求項２の発明は、止め具は、ボルトとナットであり、ボルトとナットで、支持片、線材、及び／又は、取付板と、緩衝体を緊締支持する構成とした送風機のガードと、モータを固定する連結機構である。
【００１４】
これにより、請求項２は、請求項１の目的・特徴達成に最適な止め具を提供できる。また、止め具は、構造が簡単で、市販製品で対応できて重宝する。
【００１５】
請求項３の発明は、取付板と緩衝体の間に、平座金を介在する構成とした送風機のガードと、モータを固定する連結機構である。
【００１６】
これにより、請求項３は、請求項１の目的・特徴達成に最適な止め具を提供できる。また、平座金の介在は、取付板と緩衝体の緊締の容易化と、緩衝体の保護と応力集中による緩衝体の劣化を抑止し、防振効果の持続性を確保できる特徴がある。
【００１７】
請求項４の発明は、緩衝体を、防振ゴムとする構成とした送風機のガードと、モータを固定する連結機構である。
【００１８】
これにより、請求項４は、請求項１の目的・特徴達成に最適な緩衝体を提供できる。また、低価格な、市販の防振ゴムを採用できることと、防振ゴムの機能と厚み等を自由に変更できることから、重宝する等の特徴がある。
【００１９】
請求項５の発明は、ガードは、ガード骨線材と、ガード線材で構成し、止め具で、ガード骨線材を緊締する構成とした送風機のガードと、モータを固定する連結機構である。
【００２０】
これにより、請求項５は、請求項１の目的・特徴達成に最適なガードを提供できる。また、本発明の効果と目的達成に最適なガードを提案できる特徴がある。
【００２１】
請求項６の発明は、支持片に横設したボルトとナットで、送風機の吸込み側より、二枚の第１・第２平座金と、第１・第２平座金間に設けた第１・第２緩衝体と、ガードの取付板と、ガード骨線材と、支持片と、第３・第４平座金と、この第３・第４平座金間に設けた第３・第４緩衝体を、緊締支持する構成とした送風機のガードと、モータを固定する連結機構である。
【００２２】
これにより、請求項６は、請求項１の目的・特徴達成に最適な止め具を提供できる。また、防振性を第１平座金と第３平座金の間隔で調整、数値管理を可能とし、機器に応じて、最適で安定した防振性能を確保できる特徴がある。
【図面の簡単な説明】
【００２３】
【図１】送風機の通常の使用状態を示した側面図
【図２】図１の背面図
【図３】送風機の収納（移動）状態を示した俯瞰図
【図４】送風機の通常の使用状態を示した俯瞰図
【図５】送風機のガードとモータとの関係を示した要部の側面図
【図６】図５の要部で、Ａで示した箇所の拡大断面図
【発明を実施するための形態】
【００２４】
図１−図４に示すように、送風機Ａは、キャスター付きの基台１（この例では、パイプを折曲形成した二本のフレームとする）と、この基台１に設けた回転式の支持具２で、角度調整自在に設けた風胴３とを、主要骨格とする。
【００２５】
そして、風胴３の一方側（吸込み側Ａ１）には、風胴３に取付けたガード５と、ガード５に架承されるモータ６と、モータ６駆動のファン７と、を備える。他方側（吹出し側Ａ２）には、環状の誘導筒９と、この誘導筒９に内装した整流翼８と、を備えている。
【００２６】
ガード５は、ファン７を包み込む環状室Ｂを形成する複数本のガード線材５ａと、この複数本のガード線材５ａを環状に支持する、少なくとも、環状方向Ｃに配した二本一組の六本のガード骨線材５ｂとを編成して構成する。
【００２７】
モータ６はモータケース６ａ内に収容されており、このモータケース６ａの外周面には複数の支持片６ｂが突出形成されている。
【００２８】
そこで、図５と図６とを参照して、支持片６ｂとガード５の緊締を説明すると、支持片６ｂと、ガード５との間に、横設したボルト１０とナット１１（ダブルナット１１による緊締）を横設支持する。その際に、横設したボルト１０に、送風機Ａの吸込み側Ａ１より、二枚の第１・第２平座金１２、１３の中心位置（中心位置を省略することも有り得る）を設け、この第１・第２平座金１２、１３間に望ましくは、複数枚（又は一枚も有り得る、以下同じ）の第１・第２緩衝体１４、１５を設ける。続いて、ガード５のガード骨線材５ｂの中心位置に設け、必要により、ガード５のガード取付板１６の中心位置を設ける。次に、ワッシャを介して、二枚の第３・第４平座金１７、１８を設け、この第３・第４平座金１７、１８間に設けた、複数枚で一組の第３・第４緩衝体１９、２０を支持片６ｂに挟み込むように設ける。このように、ナット１１、及び／又は、支持片６ｂに設けた、これらの第１・第２平座金１２、１３〜第３・第４緩衝体１９、２０等は、当該ナット１１をボルト１０に螺着することで、緊締支持される。尚、第１・第２平座金１２、１３〜第３・第４緩衝体１９、２０等の枚数とか、厚みに関しては一例である。また、この一例では、支持片６ｂ等をガード５内に入れ、第１・第２平座金１２、１３と、第１・第２緩衝体１４、１５を、ガード５内外に設けることで、例えば、スッキリした構成となる。尚、図示しないがガードを備えない構造にも工夫で採用できる。
【００２９】
前述した図６の順序は一例であり、限定されない。例えば、図示しないが、前述の逆のパターン（構成）がある。即ち、支持片６ｂ、第３・第４平座金１７、１８、及び第３・第４緩衝体１９・２０を、ガード５外に設け、第１・第２平座金１２、１３と、第１・第２緩衝体１４、１５、及びガード取付板１６を、ガード５内に設けた構成であり、一部を隠ぺいする構成である。
【００３０】
図中、２１はボルト１０の軸１０Ａに被嵌したシリコーンチューブで、緩衝効果と振動・ガタ防止、又は騒音防止等に役立てる。
【００３１】
以上の取付け順序は、一例であって、ガード取付板１６、又はガード５等の構成により変更される。その他として、例えば、取付状況とか、価格、及び／又は、大きさ等のその他の理由により変更される。即ち、順序は自由な構成と考えられる。
【００３２】
前述した各実施例等は、本発明の好ましい一例の説明である。各実施例とか図面に限定されない。従って、発明の趣旨の範囲において構成の一部を変更する構造とか、同じ特徴と効果を達成できる構造、等は、本発明の範疇である。
【符号の説明】
【００３３】
１  基台
２  支持具
３  風胴
５  ガード
５ａ  ガード線材
５ｂ  ガード骨線材
６  モータ
６ａ  モータケース
６ｂ  支持片
７  ファン
８  整流翼
９  誘導筒
１０  ボルト
１０Ａ  軸
１１  ナット
１２  第１平座金
１３  第２平座金
１４  第１緩衝体
１５  第２緩衝体
１６  ガード取付板
１７  第３平座金
１８  第４平座金
１９  第３緩衝体
２０  第４緩衝体
２１  シリコーンチューブ
Ａ  送風機
Ａ１  吸込み側
Ａ２  吹出し側
Ｂ  環状室
Ｃ  環状方向
【図１】
2020012443.tif 000003
【図２】
2020012443.tif 000004
【図３】
2020012443.tif 000005
【図４】
2020012443.tif 000006
【図５】
2020012443.tif 000007
【図６】
2020012443.tif 000008